(57)【特許請求の範囲】
【請求項１】
複数の器胴を有し、各器胴に対向流の水室とその各水室に冷却水入口管及び冷却水出口管を備えた復水器と、前記対向流の方向毎に前記冷却水出口管を合流した２系統の冷却水出口母管を備えた復水器の循環水系統において、
前記冷却水出口母管にボール捕集器を配置し、前記器胴数より少ないボール捕集器により捕集した洗浄ボールを器胴単位に分配するための流路切替手段を設けたことを特徴とする復水器ボール洗浄装置。
【請求項２】
複数の器胴を有し、各器胴に対向流の水室とその各水室に冷却水入口管及び冷却水出口管を備えた復水器と、前記対向流の方向毎に前記冷却水出口管を合流した２系統の冷却水出口母管を備えた復水器の循環水系統において、
前記冷却水出口母管に設けたボール捕集器と、捕集した洗浄ボールを取り出して循環させるボール循環ポンプと、前記２系統から合流した洗浄ボールを前記器胴単位に分配する流路切替手段と、前記器胴毎に設けられ前記流路切替手段によって分配された洗浄ボールの再循環と回収を切り替えるボール回収器と、前記ボール回収器を通過した洗浄ボールを分岐して各器胴の２つの冷却水入口管に注入するボール注入管を、具備したことを特徴とする復水器ボール洗浄装置。
【請求項３】
複数の器胴を有し、各器胴に対向流の水室とその各水室に冷却水入口管及び冷却水出口管を備えた復水器と、前記対向流の方向毎に前記冷却水出口管を合流した２系統の冷却水出口母管を備えた復水器の循環水系統におけるボール洗浄装置の運転方法において、
洗浄運転時に、前記冷却水出口母管の各々に設けたボール捕集器を捕集状態にし、捕集した洗浄ボールの２系統の合流位置に設けられ器胴単位に分配する流路切替手段を、任意器胴にのみ洗浄ボールが分配されるように制御することを特徴とする復水器ボール洗浄装置の運転方法。
【発明の詳細な説明】
【０００１】
【発明の属する技術分野】
本発明は、発電プラントの復水器に係わり、特に、復水器胴より少ない数のボール捕集器を用いた復水器洗浄装置とその運転方法に関する。
【０００２】
【従来の技術】
復水器の洗浄装置は、復水器の運転中にスポンジボールを連続的に冷却管内を循環させ、管内面に付着あるいは停滞しているスライム・異物を除去し、堆積物による腐食および伝熱性能の低下を防止するもので、論文「タービンプラントの熱交換器（火力原子力発電；Ｖｏｌ．４２，Ｎｏ．４；Ｐ１４３−１４５）」などに詳しい。
【０００３】
図３に、ボール洗浄装置を備えた復水器の外観図を示す。１胴毎の復水器１の冷却水入口管５に、ボール注入管１３から投入されたスポンジボール８は、冷却管４１の内面を洗浄した後、復水器１の冷却水出口管６に設置されたボール捕集器９に捕集される。捕集されたボール８はボール循環ポンプ１１により、ボール取出管１０、ボール回収器１２、ボール注入管１３を経由して再び冷却水入口に投入される。洗浄開始時のボール投入と、終了時のボール回収はボール回収器１２により行われる。
【０００４】
また、特開昭６０−２０６９０７号公報には、ボール循環ポンプやボール回収器など、ボール洗浄器の機器の一部を２系統（２胴）の復水器で共用し、洗浄装置のコストを低減する案が開示されている。
【０００５】
【発明が解決しようとする課題】
従来の復水器では、各胴の水室毎にボール捕集器を設けて洗浄運転を行っている。復水器洗浄装置のボール捕集器９は、復水器１の冷却水出口管に設置されるため、その配管口径と同等程度の大きさになる。例えば、１３０万ｋｗ級の原子力プラントで、３胴の復水器を用いる場合、直径２６００ｍｍ×６台のボール捕集器が設けられるので、大きな配置スペースを必要とする。また、ボール捕集器は開閉格子など、メンテナンスの必要な機器が設けられているので、保守作業にも長時間を費している。
【０００６】
さらに、復水器の洗浄運転は、冷却管の伝熱性回復や異物除去の目的から、１胴ごとに管理される必要が有り、ボール捕集器の減少によって胴単位の運転が維持できなくなるのでは問題がある。
【０００７】
本発明の目的は、ボール捕集器を胴数よりも少なくし、かつ、復水器１胴毎のボール洗浄運転を可能にして、配置スペースとコストを大幅に低減できる復水器洗浄装置とその運転方法を提供することにある。
【０００８】
【課題を解決するための手段】
上記目的は、複数の器胴を有し、各器胴に対向流の水室とその各水室に冷却水入口管及び冷却水出口管を備えた復水器と、前記対向流の方向毎に前記冷却水出口管を合流した２系統の冷却水出口母管を備えた復水器の循環水系統において、前記冷却水出口母管にボール捕集器を配置し、前記器胴数より少ないボール捕集器により捕集した洗浄ボールを器胴単位に分配するための流路切替手段を設けたことにより達成される。
【０００９】
または、前記循環水系統における復水器ボール洗浄装置の運転方法において、洗浄運転時に、前記冷却水出口母管の各々に設けたボール捕集器を捕集状態にし、捕集した洗浄ボールの２系統の合流位置に設けられ器胴単位に分配する流路切替手段を、任意器胴にのみ洗浄ボールが分配されるように制御することにより達成される。
【００１０】
【発明の実施の形態】
以下、本発明の実施形態について、図面を参照しながら詳細に説明する。図１は、一実施例による復水器洗浄装置の系統図である。復水器１はＡ，Ｂ，Ｃの３胴からなり、各胴に冷却水が対向流となる２個の水室４を備えている。冷却水は流れ方向に対応した２系列ａ，ｂの冷却水入口母管３（３ａのみ図示）から、各系３本（合計６列）の冷却水入口管５に分岐し、各胴の水室４（４−１，４−２）へ供給される。復水器１を通過した冷却水は、６本の冷却水出口管６より流出し、再び２系列に集合した冷却水出口母管７（７ａ，７ｂ）から系外の海洋などへ放出する。
【００１１】
本実施例のボール洗浄装置では、ボール捕集器９（９ａ，９ｂ）が２系列の冷却水出口母管７ａ，ｂに設けられる。ボール捕集器９ａ，ｂで捕集されたスポンジボールは、それぞれボール循環ポンプ１１（１１ａ，１１ｂ）によりボール取出管１０に抽出された後、両系のボールを集合し、流路切替装置１５によって各胴Ａ〜Ｃのボール回収器１２（１２Ａ〜１２Ｃ）の一つに送出される。
【００１２】
流路切替装置１５は三方切換弁からなり、各胴へ向かう流路を全閉するか一つのみ開放するように、制御装置２０によって切り替えられる。ボール回収器１２は、洗浄運転中はボール注入管１３にスルーするボール非回収状態、回収運転時はボールを捕捉して回収状態となる構成を持つ。ボール注入管１３は、途中で２本の注入管１３−１，１３−２に分岐し、それぞれ水室４−１の冷却水入口管６−１と水室４−２の冷却水入口管６−２に連通する。分岐部には特に仕掛けを設けていないが、冷却水の流れによってボールをほぼ等数に分流する。復水器１のＢ，Ｃ胴についても、同様に構成されている。
【００１３】
このように、本実施形態では復水器の冷却水出口母管毎にボール捕集器を設けているので、冷却水出口管毎に設ける場合はもちろん、復水器の胴毎に設ける場合に比べても、ボール捕集器の数を低減できる。
【００１４】
次に、本実施形態による復水器洗浄装置の運転方法について説明する。復水器洗浄装置は洗浄、回収、停止の運転を繰り返す。その頻度は、冷却管の付着状況や冷却材質により異なるが、１日に１回〜週に１、２回程度である。
【００１５】
図２に、復水器のボール洗浄運転における機器状態の遷移図を示す。図示は、復水器１のＡ胴の運転の例で、洗浄開始、回収開始及び洗浄停止のタイミングで、制御装置２０により制御される。
【００１６】
同図（ａ）はボール洗浄運転時の機器状態で、出口母管系列ａ，ｂのボール捕集器ａ，ｂは共に格子を閉鎖し、ボール捕集状態である。ボール循環ポンプａ，ｂは共に起動され、運転状態である。流路切替装置１５はＡ系のみ開放されて通水状態、Ｂ，Ｃ系は閉鎖状態とされる。ボール回収器１２はＡ系のみ運転され、起動時にボールの投入を行うが、ボールの非回収状態を維持する。Ｂ，Ｃ系は運転されず、ボールの非回収状態を維持している。
【００１７】
同図（ｂ）はボール回収運転における機器状態で、ボール回収器１２のＡ系のみが、ボール回収状態に移行し、器内に流入してきたボールの再投入を中止して器内にストックする。
【００１８】
同図（ｃ）はボール洗浄停止時の機器状態で、ボール捕集器ａ，ｂは開状態、ボール循環ポンプａ，ｂは停止状態、流路切替装置１５は全系とも閉鎖状態、ボール回収器１３は全系とも非回収状態とされる。この状態は復水器１の通常運転である。なお、Ｂ，Ｃ胴の洗浄運転を行う場合は、流路切替装置１５及びボール回収器１３のＢ系またはＣ系を、図２のＡ系の状態と入れ替えればよい。
【００１９】
本実施例のように、復水器循環水系の冷却水出口母管毎にボール捕集器を設ける構成では、復水器の胴単位にボール洗浄運転を行うので、１胴毎の管理が可能になる。また、水室単位に行う場合に比べて運転操作が簡単になる。
【００２０】
【発明の効果】
本発明によれば、復水器の各胴共用の復水器冷却水出口母管に、洗浄装置のボール捕集器を設け、捕集器の数を胴数より少なくできるので、発電プラントにおける復水器の配置スペースを低減し、保守作業を軽減できる効果がある。
【００２１】
また、本発明の運転方法によれば、復水器の１胴単位の洗浄運転が可能となるため、復水器冷却管の伝熱性回復や異物除去の１胴毎の管理を行える。
【図面の簡単な説明】
【図１】本発明の一実施形態による、ボール洗浄装置を含む復水器の循環系統図。
【図２】図１の構成における復水器洗浄装置の運転手順を説明する機器状態の遷移図。
【図３】ボール洗浄装置を備えた復水器の外観図。
【符号の説明】
１…復水器、２…循環水ポンプ、３…冷却水入口母管、４…水室、４１…冷却管、５…冷却水入口管、６…冷却水出口管、７…冷却水出口母管、８…ボール、９…ボール捕集器、１０…ボール取出管、１１…ボール循環ポンプ、１２…ボール回収器、１３…ボール注入管、１５…流路切替装置、２０…制御装置。
【図１】
0003604854.tif 000002
【図２】
0003604854.tif 000003
【図３】
0003604854.tif 000004